(57)【特許請求の範囲】
【請求項１】
筺体と、前記筺体に設けられる吹出口と、前記吹出口に配置される複数の左右風向板と、前記左右風向板の向きを変更する駆動部と、を備え、
前記左右風向板は、
前記吹出口の一端側に配置され、第一連結部材により連結されて向きを変更する第一風向板群と、
前記吹出口の他端側に配置され、第二連結部材により連結されて向きを変更する第二風向板群と、
前記吹出口の中央部に配置され、第三連結部材により連結されて向きを変更する第三風向板群と、
を有し、
前記第一風向板群、前記第二風向板群および前記第三風向板群は、相互に分割されており、
前記駆動部は、
前記第一連結部材を駆動する第一駆動部と、
前記第二連結部材を駆動する第二駆動部と、を有し、
前記第一駆動部は前記第一連結部材を介して前記第三連結部材を駆動可能であり、
前記第二駆動部は前記第二連結部材を介して前記第三連結部材を駆動可能であり、
前記第三連結部材は、前記第一連結部材の押圧、または前記第二連結部材の押圧で駆動され、
前記第一連結部材は、前記第一駆動部によって他端側に駆動されることで、前記第三連結部材の一端側に当接してこれを押圧し、前記第三風向板群の向きを他端側に変更するようになっており、
前記第二連結部材は、前記第二駆動部によって一端側に駆動されることで、前記第三連結部材の他端側に当接してこれを押圧し、前記第三風向板群の向きを一端側に変更することを特徴とする空気調和機。
【請求項２】
請求項１に記載の空気調和機であって、
前記第三風向板群は回動により向きを変更するようになっており、
前記第三風向板群の回動に抵抗を付与する抵抗付与部を備えていることを特徴とする空気調和機。
【発明の詳細な説明】
【技術分野】
【０００１】
本発明は、風向制御性に優れた左右風向板を備える空気調和機に関する。
【背景技術】
【０００２】
従来、空気調和機の室内機は、吸込口と吹出口を有した筺体に冷凍サイクルを構成する熱交換器やファン等を備えている。ファンによって室内機に取り込まれた空気は、熱交換器により熱交換され、室内に供給される。
【０００３】
空気調和機は、上下方向の風向を制御する上下風向板、左右方向の風向を制御する左右風向板を備えている。空気調和機は、使用者の要求に応じて上下風向板や左右風向板を制御し、所望の温度に設定した空気流を制御している。左右風向板は、複数枚の羽根で構成され、通風路内に設置されていることが多い。
【０００４】
また、近年では快適性の向上を目指して、可視光線センサやサーモパイルなどの各種センサが室内機に導入されている。各種センサによって様々な物体の検出や状態の検出が可能となった。しかし、検知された物体や検出された状態に適した空調運転を行うためには、広範囲の気流制御が必要である。このため、上下風向は勿論のこと、左右風向に対しても高い風向性能を備えた左右風向板が要求されている。
【０００５】
加えて、吹出口から吹き出される空気を多方向かつ広範囲に吹き分けることが要求されている。このような要求に答えるために、左右風向板同士を連結している連結部材を複数に分割して、左右風向板を複数枚ごとに独立して制御する技術が提案されている（特許文献１参照）。
また、一方の連結部材の端部に長孔を設け、他方の連結部材の端部に長孔に挿入される摺動軸を設け、長孔に摺動軸を係合させることによって二つの連結部材同士を遊びを有して連結し、吹き分ける方向を異ならせるようにした技術も提案されている（特許文献２参照）。
【先行技術文献】
【特許文献】
【０００６】
【特許文献１】特開２００９−２９９９１５号公報
【特許文献２】実開平３−７３８５６号公報
【発明の概要】
【発明が解決しようとする課題】
【０００７】
特許文献１では、分割された連結部材ごとに駆動部を設けて左右風向板を駆動させているので、複数の駆動部が必要である。このため、コストの増大、および複数の駆動部を設置するためのスペースの確保が必要であるという課題があった。なお、左右風向板の分割数よりも少ない数の駆動部で駆動させようとすると、構成が複雑化してしまう。
また、特許文献１では、ギア機構を採用しているため、組み立て時に、ギア同士の嵌合位置が不適切であると、正常な可動ができなくなるおそれもある。
さらに、特許文献１では、左右に配置される左右風向板の可動量の絶対値に差異が生じた場合にのみ中央に配置された左右風向板が可動する構成である。このため、可動量の絶対値に差異が生じない場合には、中央に配置された左右風向板を所望の方向に制御することができない。
【０００８】
特許文献２では、組み立て時に長孔に摺動軸が非係合であると、正常な駆動ができなくなる。
また、長孔に摺動軸が係合する構造であるので、制御時に摺動軸に断続的な曲げ応力が発生するため、部品が破損するおそれがあった。
【０００９】
本発明は、構成が簡単で、コストの低減および省スペース化を図ることができるとともに、左右風向板を所望の方向に制御することができる空気調和機を提供することを課題とする。
【課題を解決するための手段】
【００１０】
本発明は、筺体と、前記筺体に設けられる吹出口と、前記吹出口に配置される複数の左右風向板と、前記左右風向板の向きを変更する駆動部と、を備え、前記左右風向板は、前記吹出口の一端側に配置され、第一連結部材により連結されて向きを変更する第一風向板群と、前記吹出口の他端側に配置され、第二連結部材により連結されて向きを変更する第二風向板群と、前記吹出口の中央部に配置され、第三連結部材により連結されて向きを変更する第三風向板群と、を有し、前記第一風向板群、前記第二風向板群および前記第三風向板群は、相互に分割されており、前記駆動部は、前記第一連結部材を駆動する第一駆動部と、前記第二連結部材を駆動する第二駆動部と、を有し、前記第一駆動部は前記第一連結部材を介して前記第三連結部材を駆動可能であり、前記第二駆動部は前記第二連結部材を介して前記第三連結部材を駆動可能であり、前記第三連結部材は、前記第一連結部材の押圧、または前記第二連結部材の押圧で駆動され、前記第一連結部材は、前記第一駆動部によって他端側に駆動されることで、前記第三連結部材の一端側に当接してこれを押圧し、前記第三風向板群の向きを他端側に変更するようになっており、前記第二連結部材は、前記第二駆動部によって一端側に駆動されることで、前記第三連結部材の他端側に当接してこれを押圧し、前記第三風向板群の向きを一端側に変更することを特徴とする。
【発明の効果】
【００１１】
本発明によれば、構成が簡単で、コストの低減および省スペース化を図ることができるとともに、左右風向板を所望の方向に制御することができる空気調和機が得られる。
【図面の簡単な説明】
【００１２】
【図１】本発明の実施形態に係る空気調和機を示す構成図である。
【図２】室内機の内部概略構造を示す一部を断面にした側面図である。
【図３】左右風向板の風向制御の様子を示す正面図である。
【図４】左右風向板の風向制御の様子を示す模式上面図である。
【図５】（ａ）〜（ｃ）は中央部に配置される第三風向板群の作動の様子を示す模式上面図である。
【図６】（ａ）〜（ｃ）は左右風向板の作用を示す模式上面図である。
【発明を実施するための形態】
【００１３】
以下、本発明を実施するための形態（以下「実施形態」という）について、適宜図面を参照しながら詳細に説明する。
図１は、本発明の実施形態に係る空気調和機を示す構成図である。
図１に示すように、空気調和機は、室外機（室外ユニット）８と室内機（室内ユニット）９とが、接続配管１０，１１によって接続されることで冷房および暖房が可能な冷凍サイクルを構成している。室外機８は、圧縮機１と、流路切替手段としての四方弁２と、室外熱交換器３と、冷暖房運転用の絞り装置（膨張弁）４と、室外機ファン６と、を備えて構成されている。室内機９は、室内熱交換器５と、室内機ファン７と、を備えて構成されている。冷凍サイクル内には、熱の授受を行うための作動流体として冷媒が充填されている。冷媒の種類としては、Ｒ４１０ａやＲ３２等が使用される。
【００１４】
空気調和機において冷房運転する場合には、破線矢印で示すように、圧縮機１で圧縮された高温・高圧のガス冷媒が四方弁２を通って室外熱交換器３に流れ、外気（空気）と熱交換することで凝縮し、高圧の液冷媒となる。液冷媒は、膨張弁４の作用で減圧され、低温低圧の気液二相状態となり、接続配管１１を通じて室内機９に流れる。室内機９に入った冷媒は、室内熱交換器５に流れ、室内機ファン７によって取り込まれた空気と熱交換することで蒸発する。室内熱交換器５で蒸発した冷媒は、接続配管１０を通じて、室外機８に戻り、四方弁２を通って再び圧縮機１で圧縮される。
【００１５】
空気調和機において暖房運転する場合には、実線矢印で示すように、圧縮機１で圧縮された高温・高圧のガス冷媒が四方弁２および接続配管１０を通って室内機９に流れる。室内機９に入ったガス冷媒は、室内熱交換器５に流れ、室内機ファン７によって取り込まれた空気と熱交換することで凝縮し、高圧の液冷媒となる。高圧の液冷媒は、接続配管１１を通って室外機８に流れる。室外機８に入った高圧の液冷媒は、膨張弁４の作用で減圧され、低温低圧の気液二相状態となり、室外熱交換器３に流れ、室外空気の熱と熱交換することで蒸発し、ガス冷媒となる。室外熱交換器３でガス状となった冷媒は、四方弁２を通って再び圧縮機１で圧縮される。
【００１６】
図２は室内機９の概略構造を示す一部を断面にした側面図である。
図２に示すように、室内機９の筺体１５には、前面と上面に空気吸込口１６，１７が設けられ、下部に空気吹出口となる開口部１８が設けられている。筺体１５の前面には可動パネル１５ａが設けられている。筺体１５の内部には、室内機ファン（貫流ファン）７が配設されており、空気吸込口１６，１７から室内機ファン７までの風路の途中にクロスフィンチューブ型の室内熱交換器５が配設されている。
【００１７】
室内熱交換器５の下方には、露受け部品としても機能する上部ケーシング２１が配置されている。上部ケーシング２１は、冷房運転時および除湿運転時等に発生する露を受ける。
【００１８】
筺体１５内には、室内機ファン７の下方から開口部１８に向けて通風路２０が形成されている。通風路２０は、上部ケーシング２１と下部ケーシング２２とによって仕切られている。通風路２０内には、左右風向板３０が配置されている。また、通風路２０の開口部１８には、上下風向板２５が配置されている。
【００１９】
左右風向板３０は、筺体１５の左右方向に間隔を空けて複数枚配置されている（図３参照）。左右風向板３０は、図２に示すように、一番右側に配置されるものを例に説明すると、下部に設けた支軸３２ａを支点にして、駆動部（第二駆動部６２）によって左右に回動可能である。支軸軸３２ａには、連結杆３０ａが一体に設けられている。連結杆３０ａは、下部ケーシング２２に沿って前後方向に延在している。連結杆３０ａの前端部には、第二連結部材４２が連結されている。また、連結杆３０ａの後端部には、駆動杆５２が連結されている。
【００２０】
左右風向板３０は、開口部１８に沿って（室内機ファン７の軸方向に沿って）３つの風向板群に分割されている。
図３は風向板群を開口部１８の正面側から見た図であり、図４は分割された風向板群を示す模式上面図である。図３，図４では説明の便宜上、少ない枚数の左右風向板３０で各風向板群を簡略化して示している。
図３に示すように、風向板群は、第一風向板群３１、第二風向板群３２および第三風向板群３３を備えており、三つに分割されている。
【００２１】
第一風向板群３１は、開口部１８の一端側となる左側に配置されている。第一風向板群３１の各左右風向板３０は、図４に示すように、連結杆３０ａを介して第一連結部材４１により連結されている。第一風向板群３１の各左右風向板３０は、各支軸３１ａを中心として、第一連結部材４１により一体となって向きを変更するように構成されている。
【００２２】
第一連結部材４１の他端部には、押圧部４１ａが設けられている。押圧部４１ａは、隣合う第三風向板群３３に設けられた第三連結部材４３の一端部に対向配置され、これを押圧可能である。押圧部４１ａは、第三連結部材４３の一端部を押圧し易いように、略Ｃ字状を呈している。
【００２３】
図４に示すように、第一風向板群３１において、連結杆３０ａの後端部には、駆動杆５１が連結されている。駆動杆５１の一端部は、第一駆動部６１に連結されている。駆動杆５１は、第一駆動部６１の駆動によって、軸方向に進退動するように構成されている。駆動杆５１が、第一駆動部６１によって図４中他端側に進動すると、第一風向板群３１の各左右風向板３０は、各支軸３１ａを中心にして上面視で時計回り方向に回動する。これにより、各左右風向板３０が一端側を向く状態にされる（図４に示す状態）。
また、これとは反対に、駆動杆５１が、第一駆動部６１によって図４中一端側に退動すると、各左右風向板３０は、各支軸３１ａを中心にして上面視で反時計回り方向に回動する。これにより、各左右風向板３０が他端側を向く状態にされる。
【００２４】
第一駆動部６１は、室内機９の一端側（左側）において、図２に示すように、下部ケーシング２２内に配置されている。つまり、第一駆動部６１は、抵抗とならないように通風路２０に露出しない位置に設置されている。なお、第一駆動部６１は、下部ケーシング２２内に設けられたものを示したが、これに限られることはなく、室内機９の左側部のスペース等を利用して設けてもよい。
【００２５】
第二風向板群３２は、開口部１８の他端側となる右側に配置されている。第二風向板群３２の各左右風向板３０は、図４に示すように、連結杆３０ａを介して第二連結部材４２により連結されている。第二風向板群３２の各左右風向板３０は、各支軸３２ａを中心として、第二連結部材４２により一体となって向きを変更するように構成されている。
【００２６】
第二連結部材４２の一端部には、押圧部４２ａが設けられている。押圧部４２ａは、隣合う第三風向板群３３に設けられた第三連結部材４３の他端部に対向配置され、これを押圧可能である。押圧部４２ａは、第三連結部材４３の他端部を押圧し易いように、略Ｃ字状を呈している。
【００２７】
第二風向板群３２において、連結杆３０ａの後端部には、駆動杆５２が連結されている。駆動杆５２の他端部は、第二駆動部６２に連結されている。駆動杆５２は、第二駆動部６２の駆動によって、軸方向に進退動するように構成されている。駆動杆５２が、第二駆動部６２によって図４中一端側に進動すると、第二風向板群３２の各左右風向板３０は、各支軸３２ａを中心にして上面視で反時計回り方向に回動する。これにより、各左右風向板３０が他端側を向く状態にされる（図４に示す状態）。
また、これとは反対に、駆動杆５２が、第二駆動部６２によって図４中他端側に退動すると、各左右風向板３０は、各支軸３２ａを中心にして上面視で時計回り方向に回動する。これにより、各左右風向板３０が一端側を向く状態にされる。
【００２８】
第二駆動部６２は、室内機９の他端側（右側）において、図２に示すように、下部ケーシング２２内に配置されている。つまり、第二駆動部６２は、抵抗とならないように通風路２０に露出しない位置に設置されている。なお、第二駆動部６２は、下部ケーシング２２内に設けられたものを示したが、これに限られることはなく、室内機９の右側部のスペース等を利用して設けてもよい。
【００２９】
第三風向板群３３は、開口部１８の中央部（長手方向中央部）に配置されている。第三風向板群３３の各左右風向板３０は、第三連結部材４３により連結されている。第三風向板群３３の各左右風向板３０は、各支軸３３ａを中心として、第三連結部材４３により一体となって向きを変更するように構成されている。第三風向板群３３には、駆動部が接続されていない。
【００３０】
第三連結部材４３の一端部には、第一風向板群３１の第一連結部材４１の押圧部４１ａが押圧可能である。この押圧部４１ａにより第三連結部材４３が押圧されると、第三風向板群３３の各左右風向板３０は、各支軸３３ａを中心にして上面視で反時計回り方向に回動する。これにより、各左右風向板３０が他端側を向く状態にされる（図４に示す状態）。つまり、第三連結部材４３は、第一連結部材４１を介して第一駆動部６１によって他端側に駆動されるように構成されている。
【００３１】
第三連結部材４３の他端部には、第二風向板群３２の第二連結部材４２の押圧部４２ａが押圧可能である。この押圧部４２ａにより第三連結部材４３が押圧されると、第三風向板群３３の各左右風向板３０は、各支軸３３ａを中心にして上面視で時計回り方向に回動する。これにより、各左右風向板３０が一端側を向く状態にされる。つまり、第三連結部材４３は、第二連結部材４２を介して第二駆動部６２によって一端側に駆動されるように構成されている。
【００３２】
第三風向板群３３の後部側には、第三風向板群３３の回動に抵抗を付与する抵抗付与部３６が設けられている。図５に示すように、抵抗付与部３６は、係合部３３ｃと係合受部３３ｅとを備えている。係合部３３ｃは、支軸３３ａの後部から後方へ向けて突設されている。係合受部３３ｅは、係合部３３ｃに対向して下部ケーシング２２（図２参照）に設けられており、係合部３３ｃが係合する凹凸状を呈している。係合部３３ｃと係合受部３３ｅとの係合によって、左右風向板３０の回動に所望の抵抗が付与される。なお、図５では第三風向板群３３の回動の様子を簡易的に示している。
【００３３】
第三風向板群３３は、抵抗付与部３６によって、例えば、図５（ａ）に示すように、各左右風向板３０が正面を向いた姿勢で保持可能であり、また、図５（ｂ）に示すように、各左右風向板３０が一端側に若干回動した姿勢で保持可能である。また、図５（ｃ）に示すように、各左右風向板３０が一端側にさらに回動した姿勢で保持可能である。なお、図示はしないが、第三風向板群３３は、他端側に回動した姿勢で保持可能である。
【００３４】
次に、風向板群の作用について図６を参照して説明する。ここでは、第三風向板群３３が他端側を向いている状態から一端側を向く状態に風向制御する場合について説明する。なお、図６では風向板群の傾斜の様子を簡易的に示している。
図６（ａ）では、第一風向板群３１が一端側を向く状態に風向制御され、第二風向板群３２および第三風向板群３３が反対側となる他端側を向く状態に風向制御されている。この状態では、第三風向板群３３の第三連結部材４３の他端に、第二風向板群３２の第二連結部材４２の一端が当接している。また、第三風向板群３３の第三連結部材４３の一端と第一風向板群３１の第一連結部材４１の他端とは離間している。
【００３５】
まず、第二風向板群３２の第二駆動部６２を駆動させて、第二風向板群３２の駆動杆５２を他端側に退動させる。つまり、第三風向板群３３の第三連結部材４３が当接している側となる第二風向板群３２の第二駆動部６２を駆動させる。
【００３６】
そうすると、図６（ｂ）に示すように、第二風向板群３２の各左右風向板３０が各支軸３２ａを中心にして上面視で時計回り方向に回動する。この回動によって第二風向板群３２の第二連結部材４２の押圧部４２ａが一端側に移動し、押圧部４２ａが第三風向板群３３の第三連結部材４３の他端部を押圧する。すなわち、第三風向板群３３が第二風向板群３２と一体となって回動し、第三風向板群３３の各左右風向板３０の向きが変更される。
【００３７】
その後、第三風向板群３３の第三連結部材４３の一端部が第一風向板群３１の押圧部４１ａに当接する位置まで回動すると、第二駆動部６２の駆動が停止される。これにより、第三風向板群３３が他端側を向いている状態から一端側を向く状態に風向制御される。
【００３８】
この状態から、第二駆動部６２を駆動させて、第二風向板群３２の駆動杆５２を一端側に進動させると、図６（ｃ）に示すように、第二風向板群３２の各左右風向板３０が各支軸３２ａを中心にして上面視で反時計回り方向に回動する。これによって、第二風向板群３２が他端側を向く状態に風向制御される。
【００３９】
なお、前記した図６（ｂ）の状態で、第二駆動部６２を停止させれば、第三風向板群３３が正面を向く状態に風向制御することができる。
【００４０】
以上説明した本実施形態の空気調和機によれば、第一駆動部６１の駆動による第一連結部材４１の押圧、または第二駆動部６２の駆動による第二連結部材４２の押圧で、駆動部を有さない第三風向板群３３の第三連結部材４３を駆動させることができ、風向制御を行うことができるので、構成が簡単であり、コストの低減を図ることができる。
また、構成が簡単になるので省スペース化を図ることができる。省スペース化によって通風路２０（図２参照）の有効活用が可能となり、左右風向板３０の面積を拡大することも可能となる。左右風向板３０の面積の拡大は、風向制御に寄与する。
さらに、構成が簡単になるので、組付性に優れ、生産性が向上する。また、誤組み付けも生じ難い。
【００４１】
また、第三風向板群３３の回動に抵抗を付与する抵抗付与部３６を備えているので、制御された風向を好適に維持することができる。したがって、風向制御性に優れている。
【００４２】
また、風向板群は、第一風向板群３１と、第二風向板群３２と、第三風向板群３３とからなる三つの群に分割されており、駆動部は、風向板群の分割数よりも少ない数の第一駆動部６１および第二駆動部６２となっているので、構成が簡単であり、コストの低減および省スペース化を図ることができる。
【００４３】
また、駆動部を有さない第三風向板群３３は、駆動部を有する第一風向板群３１または第二風向板群３２によって可動されるので、第三風向板群３３に隣接する第一風向板群３１、第二風向板群３２を利用して効果的に風向制御することができる。
【００４４】
第一風向板群３１から第三風向板群３３に対して押圧により第一駆動部６１の駆動力の伝達が可能であり、また、第二風向板群３２から第三風向板群３３に対して押圧により第二駆動部６２の駆動力の伝達が可能である。ゆえに、第一駆動部６１で第三風向板群３３を風向制御した後に、第三風向板群３３を戻す場合には、これとは反対側の第二駆動部６２で第三風向板群３３を風向制御すればよい。したがって、第三風向板群３３の両側から一方向に押圧するというシンプルな構成で、第三風向板群３３を所望の方向に好適に風向制御することができる。
また、押圧による駆動力の伝達であるので、第一連結部材４１の端部や第二連結部材４２の端部等（押圧部４１ａ，４２ａ等）に、曲げ応力が発生せず、疲労破壊につながるおそれも極めて少ない。したがって、長期的に安定した作動を確保することができる。
【００４５】
また、第一風向板群３１、第二風向板群３２および第三風向板群３３は、相互に離間することができる構成であるので、メンテナンス時の取外しが行い易く、また、埃の蓄積し易い左右風向板３０の清掃や室内機ファン７の清掃も行い易い。
【００４６】
なお、本発明は前記した実施形態に限定されるものではなく、本発明の趣旨を逸脱しない範囲において種々変更することができる。例えば、抵抗付与部３６は、係合部３３ｃと係合受部３３ｅとの係合によるものを示したが、これに限られることはなく、第三風向板群３３の左右風向板３０の回動に抵抗を付与するものであれば、種々の形態を採り得る。
【００４７】
また、風向板群は第一風向板群３１、第二風向板群３２および第三風向板群３３を含んでいればよく、他の風向板群を備えていてもよい。
【００４８】
また、左右風向板３０は、下部ケーシング２２に支持したものを示したが、これに限られることはなく、上部ケーシング２１に支持してもよい。
【００４９】
また、第一風向板群３１により駆動される第三風向板群３３により、第二風向板群３２が駆動されるように構成してもよいし、第二風向板群３２により駆動される第三風向板群３３により、第一風向板群３１が駆動されるように構成してもよい。
【符号の説明】
【００５０】
１５      筺体
１８      開口部（吹出口）
２０      通風路
３０      左右風向板
３１      第一風向板群
３２      第二風向板群
３３      第三風向板群
３６      抵抗付与部
４１      第一連結部材
４１ａ    押圧部
４２      第二連結部材
４２ａ    押圧部
４３      第三連結部材
６１      第一駆動部（駆動部）
６２      第二駆動部（駆動部）
【図１】
0006566700.tif 000002
【図２】
0006566700.tif 000003
【図３】
0006566700.tif 000004
【図４】
0006566700.tif 000005
【図５】
0006566700.tif 000006
【図６】
0006566700.tif 000007